【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
再生される第１の情報、および、前記第１の情報の区切り候補点に関する第２の情報を取得する取得手段と、
前記取得手段により取得された前記第１の情報の表示を制御する表示制御手段と、
前記取得手段により取得された前記第２の情報を基に、前記表示制御手段により表示が制御される前記第１の情報の表示速度を制御する表示速度制御手段と
を備え、
前記表示速度制御手段は、前記第２の情報を基に、前記区切り候補点付近の所定の区間が低速で再生され、それ以外の区間が高速で再生されるように、前記表示制御手段により表示が制御される前記第１の情報の表示速度を制御する
ことを特徴とする情報処理装置。
【請求項２】
前記第１の情報には、少なくとも動画像データが含まれており、
前記第２の情報は、前記第１の情報の前記動画像データのシーンチェンジを検出することにより設定された前記区切り候補点に関する情報である
ことを特徴とする請求項１に記載の情報処理装置。
【請求項３】
ユーザの操作入力を受ける操作入力手段を更に備え、
前記表示速度制御手段は、前記操作入力手段により入力される前記ユーザの操作入力を基に、前記表示制御手段により表示が制御される前記第１の情報の表示速度を更に制御する
ことを特徴とする請求項１に記載の情報処理装置。
【請求項４】
前記表示速度の変化のパターンは、高速および低速に加えて、さらに中速を加えるようにし、
前記表示速度制御手段は、前記第２の情報を基に、前記区切り候補点付近の所定の区間が中速で再生され、続いて、低速で再生されるとともに、その後さらに中速で再生され、それ以外の区間が高速で再生されるように、前記表示制御手段により表示が制御される前記第１の情報の表示速度を制御する
ことを特徴とする請求項１に記載の情報処理装置。
【請求項５】
前記取得手段により取得された前記第２の情報を保存する保存手段と、
ユーザの操作入力を受ける操作入力手段と、
前記操作入力手段により、区切り点の設定に関する操作が入力された場合、前記操作入力手段により入力された前記区切り点の設定に関する操作に基づいて、前記保存手段により保存されている前記第２の情報の更新を制御する更新制御手段と、
前記更新制御手段により更新が制御された前記第２の情報を基に、前記第１の情報を編集して第３の情報を生成するとともに、前記第３の情報の記録を制御する記録制御手段と
を更に備えることを特徴とする請求項１に記載の情報処理装置。
【請求項６】
前記操作入力手段により入力された第１のテキストデータと、前記更新制御手段により更新が制御された前記第２の情報の前記区切り点に関する情報とを関連付けて、第４の情報を生成する生成手段
を更に備えることを特徴とする請求項５に記載の情報処理装置。
【請求項７】
前記第４の情報には、前記第１のテキストデータおよび前記区切り点に関する情報に加えて、前記区切り点に対応する時間情報が更に対応付けられ、
前記ユーザが前記操作入力手段を用いて入力した第２のテキストデータと合致する前記第４の情報に含まれる前記第１のテキストデータを抽出することにより、抽出された前記第１のテキストデータに対応する前記時間情報を基に、前記第１の情報の再生の開始位置を制御する再生制御手段を更に備える
ことを特徴とする請求項６に記載の情報処理装置。
【請求項８】
前記生成手段は、前記操作入力手段により入力される前記ユーザの操作入力を基に、前記第４の情報に含まれている前記第１のテキストデータを複数のグループに分類し、
前記表示制御手段は、複数の前記グループのうち、前記ユーザにより選択された所定の前記グループに含まれる前記第１のテキストデータの一覧の表示を更に制御し、
前記再生制御手段は、前記表示制御手段により表示が制御された前記第１のテキストデータの一覧を参照した前記ユーザにより選択された前記第１のテキストデータに対応する前記時間情報を基に、前記第１の情報の再生の開始位置を制御する
ことを特徴とする請求項７に記載の情報処理装置。
【請求項９】
前記表示制御手段は、前記ユーザが前記操作入力手段を用いて入力した前記第２のテキストデータと合致する前記第４の情報に含まれる前記第１のテキストデータが複数抽出された場合、複数抽出された前記第１のテキストデータを含む情報の一覧の表示を更に制御し、
前記再生制御手段は、前記表示制御手段により表示が制御された前記第１のテキストデータを含む情報の一覧を参照した前記ユーザにより選択された前記第１のテキストデータに対応する前記時間情報を基に、前記第１の情報の再生の開始位置を制御する
ことを特徴とする請求項７に記載の情報処理装置。
【請求項１０】
情報の表示を制御することが可能な情報処理装置の情報処理方法において、
再生される第１の情報、および、前記第１の情報の区切り候補点に関する第２の情報を取得する取得ステップと、
前記取得ステップの処理により取得された前記第２の情報を基に、前記取得ステップの処理により取得された前記第１の情報の表示速度を制御する表示速度制御ステップと
を含み、
前記表示速度制御ステップの処理では、前記第２の情報を基に、前記区切り候補点付近の所定の区間が低速で再生され、それ以外の区間が高速で再生されるように、前記第１の情報の表示速度を制御する
ことを特徴とする情報処理方法。
【請求項１１】
情報の表示を制御する処理をコンピュータに実行させるためのプログラムであって、
再生される第１の情報、および、前記第１の情報の区切り候補点に関する第２の情報を取得する取得ステップと、
前記取得ステップの処理により取得された前記第２の情報を基に、前記取得ステップの処理により取得された前記第１の情報の表示速度を制御する表示速度制御ステップと
を含み、
前記表示速度制御ステップの処理では、前記第２の情報を基に、前記区切り候補点付近の所定の区間が低速で再生され、それ以外の区間が高速で再生されるように、前記第１の情報の表示速度を制御する
ことを特徴とする処理をコンピュータに実行させるためのプログラム。
【請求項１２】
記録される第１の情報を取得する取得手段と、
前記取得手段により取得された前記第１の情報を基に、前記第１の情報の区切り候補点を決定する決定手段と、
前記決定手段により決定された前記区切り候補点に関する情報を含む、第２の情報を生成する生成手段と、
前記取得手段により取得された前記第１の情報、および、前記生成手段により生成された前記第２の情報を、対応付けて記録する記録手段と
を備えることを特徴とする情報処理装置。
【請求項１３】
前記第１の情報には、少なくとも動画像データが含まれており、
前記決定手段は、前記第１の情報の前記動画像データのシーンチェンジを検出することにより前記区切り候補点を決定する
ことを特徴とする請求項１２に記載の情報処理装置。
【請求項１４】
前記記録手段により記録された前記第１の情報の表示を制御する表示制御手段と、
前記記録手段により記録された前記第２の情報を基に、前記表示制御手段により表示が制御される前記第１の情報の表示速度を制御する表示速度制御手段と
を更に備え、
前記表示速度制御手段は、前記第２の情報を基に、前記区切り候補点付近の所定の区間が低速で再生され、それ以外の区間が高速で再生されるように、前記表示制御手段により表示が制御される前記第１の情報の表示速度を制御する
ことを特徴とする請求項１２に記載の情報処理装置。
【請求項１５】
情報の記録を制御することが可能な情報処理装置の情報処理方法において、
記録される第１の情報を取得する取得ステップと、
前記取得ステップの処理により取得された前記第１の情報を基に、前記第１の情報の区切り候補点に対応する情報を検出する検出ステップと、
前記検出ステップの処理により検出された前記区切り候補点に対応する情報を基に、第２の情報を生成する生成ステップと、
前記取得ステップの処理により取得された前記第１の情報、および、前記生成ステップの処理により生成された前記第２の情報が対応付けて記録されるように記録を制御する記録制御ステップと
を含むことを特徴とする情報処理方法。
【請求項１６】
情報の記録を制御する処理をコンピュータに実行させるためのプログラムであって、
記録される第１の情報を取得する取得ステップと、
前記取得ステップの処理により取得された前記第１の情報を基に、前記第１の情報の区切り候補点に対応する情報を検出する検出ステップと、
前記検出ステップの処理により検出された前記区切り候補点に対応する情報を基に、第２の情報を生成する生成ステップと、
前記取得ステップの処理により取得された前記第１の情報、および、前記生成ステップの処理により生成された前記第２の情報が対応付けて記録されるように記録を制御する記録制御ステップと
を含むことを特徴とする処理をコンピュータに実行させるためのプログラム。
【手続補正２】
【補正対象書類名】明細書
【補正対象項目名】０００９
【補正方法】変更
【補正の内容】
【０００９】
【特許文献２】特許３５０２５７９号公報（特開２００１−６０３８１）
【手続補正３】
【補正対象書類名】明細書
【補正対象項目名】００４０
【補正方法】変更
【補正の内容】
【００４０】
本発明は、区切り候補点を予め決定し、区切り候補点付近の再生速度を自動的に制御することにより、ユーザの操作入力の手間を省いて、編集作業を簡素化することができるようにするものである。
【手続補正４】
【補正対象書類名】明細書
【補正対象項目名】００４２
【補正方法】変更
【補正の内容】
【００４２】
第１の情報には、少なくとも動画像データが含まれているものとすることができ、第２の情報は、第１の情報の動画像データのシーンチェンジを検出することにより設定された区切り候補点に関する情報であるものとすることができる。
表示速度の変化のパターンは、高速および低速に加えて、さらに中速を加えるものとすることができ、表示速度制御手段には、第２の情報を基に、区切り候補点付近の所定の区間が中速で再生され、続いて、低速で再生されるとともに、その後さらに中速で再生され、それ以外の区間が高速で再生されるように、表示制御手段により表示が制御される第１の情報の表示速度を制御させるようにすることができる。
【手続補正５】
【補正対象書類名】明細書
【補正対象項目名】００７７
【補正方法】変更
【補正の内容】
【００７７】
なお、従来の場合と対応する部分には同一の符号を付してあり、その説明は適宜省略する。すなわち、図３の記録再生装置４１は、ＣＰＵ１１に代わって、ＣＰＵ５１が設けられ、表示制御部２７に代わって、表示制御部５３が設けられ、音声出力制御部２９に代わって、音声出力制御部５４が設けられ、新たに、区切り候補点設定処理部５２およびドライブ５５が設けられている以外は、図１を用いて説明した従来の記録再生装置１と基本的に同様の構成を有するものである。
【手続補正６】
【補正対象書類名】明細書
【補正対象項目名】００８５
【補正方法】変更
【補正の内容】
【００８５】
また、ドライブ５５は、磁気ディスク６４、光ディスク６５、光磁気ディスク６６、あるいは半導体メモリ６７などが装着されたとき、それらを駆動し、そこに記録されているプログラムやデータなどを取得する。取得されたプログラムやデータは、必要に応じて、ＣＰＵ５１に転送され、ＲＡＭ１４に記録される。
【手続補正７】
【補正対象書類名】明細書
【補正対象項目名】０２１０
【補正方法】変更
【補正の内容】
【０２１０】
この記録媒体は、図３に示すように、コンピュータとは別に、ユーザにプログラムを提供するために配布される、プログラムが記録されている磁気ディスク６４（フレキシブルディスクを含む）、光ディスク６５（CD-ROM（Compact Disk-Read Only Memory），ＤＶＤ（Digital Versatile Disk）を含む）、光磁気ディスク６６（ＭＤ（Mini-Disk)（商標）を含む）、もしくは半導体メモリ６７などよりなるパッケージメディアなどにより構成される。
【手続補正８】
【補正対象書類名】図面
【補正対象項目名】図３
【補正方法】変更
【補正の内容】
【図３】
2006054746.tif 000001
【手続補正９】
【補正対象書類名】図面
【補正対象項目名】図９
【補正方法】変更
【補正の内容】
【図９】
2006054746.tif 000002
【手続補正１０】
【補正対象書類名】図面
【補正対象項目名】図１０
【補正方法】変更
【補正の内容】
【図１０】
2006054746.tif 000003